(57)【要約】【課題】  走り慣れしない人が一人で走ることを始め継続するのは難しい。長道や登り坂で走るのが辛く飽きたときなど、後押ししてもらうように尻バンドを尻にあてがって引っ張ってもらい、後押しされた感じで励まされ楽になって走ることを続けられるようにするバンドを提供する。【解決手段】  腰バンド１と吊り帯３で尻バンド２を吊るし、輪状に結合した尻バンド２の端に弾力性のあるゴムヒモ９などを取り付け、その腰バンド１と尻バンド２を走る人の腰に装着し、ゴムヒモ９を引く人や自転車などに取り付けて、前方に向かって引っ張ると尻バンド２と吊り帯３は尻を包むように締まり、尻下部を後ろから押し上げ押すような感じにして走る人を手助けするようにしたバンド。【選択図】図２
0003162551.tif 000002
【実用新案登録請求の範囲】
【請求項１】
腰バンド（１）は胴回りの太さに合わせて長さの調整ができ、腰に装着したときの真後あたりに逆ｖ字形の吊り帯（３）の三角部分を筒状（４）に縫合し、腰バンド（１）に通すようにして吊るし、逆ｖ字形の吊り帯（３）が左右に移動できるようにする。逆ｖ字形の吊り帯（３）から出る２本の帯は、尻バンド（２）を二分した中心から、左右に１本づつ分けて尻バンド（２）に縫合（５）などして腰バンド（１）に逆ｖ字形の吊り帯（３）で尻バンド（２）を吊るしたようにする。
腰バンド（１）と尻バンド（２）の両端を滑りやすい楕円形状のリング（６）に左右それぞれ同時に通して、楕円形状のリング（６）を両バンドに取り付け、更に腰バンド（１）の両先端には雌雄で一対となるワンタッチバックル（商標登録）（７）を取り付け、腰バンド（１）を腰に装着できるようにする。
尻バンド（２）は両先端を一つに縫合などして結合（８）し輪状にして、結合したところに弾力性のあるゴムヒモ（９）などを取り付けることを特徴とした走りを後押しするように手助けするバンド。
【請求項２】
尻バンド（２）の輪状に結合（８）して一つになったゴムヒモ（９）を、人や自転車などで引っ張ることにより、弾力的な負荷と変化が引く側、引かれる側に生じ、更にゴムヒモ（９）を引っ張れば負荷がかかればかかる程に尻バンド（２）は逆ｖ字形の吊り帯（３）と供に尻を包むように締まり、尻下部は腰バンド（１）に通した楕円形状のリング（６）方向に、後から押し上げられる感じとなり走りやすくなる。
同時に腰バンド（１）は楕円形状のリング（６）のところから下方向又は前方向に引っ張られ、下腹部に余裕ができ楽に走ることができるようにしたことを特徴とした請求項１に記載の走りを後押しするように手助けするバンド。
【請求項３】
使用する時の第三者との危険を考慮して、腰バンド（１）、尻バンド（２）、逆ｖ字形の吊り帯（３）、ゴムヒモ（９）の各々には適度の幅と長さと間隔とを備えた、目立つ夜光塗料などを施しておくことを特徴とした請求項１に記載の走りを後押しするように手助けするバンド。
【考案の詳細な説明】
【考案の概要】
【考案が解決ようとする課題】
【０００１】  走ることは体によいとは分かっていても、走り慣れない人はなかなか行動まで起こせず、走ることを継続することはなお容易なことではない。ましてや小さな子供ではすぐに飽きるし辛くて一人で走るのは嫌がる。伴走を引き受け走るのも毎度となるとなかなかおっくうになるものである。走る人も走らせる人も楽しく継続ができて、やがてその成果を喜べる日が来るようにしたいと思い考えたものである。
【課題を解決するための手段】
【０００２】  胴回りの太さで長さの調整ができる腰バンド１を雌雄一対となったワンタッチバックル（登録商標）７を用いて腰に装着できるようにする。
腰バンド１を腰に装着したとき真後あたりに逆ｖ字形の吊り帯３の三角部分を筒状４になるように縫合し、その穴に腰バンド１を通おして逆ｖ字形の吊り帯３が左右に移動できるようにして吊るす。逆ｖ字形の吊り帯３から出る２本の帯を尻バンド２を二分した真後から、左右に分けたところで尻バンド２に縫合５などして取付け、腰バンド１に尻バンド２を吊るしたようにする。
【０００３】  樹脂などを用いた滑り易い楕円形状のリング６に、腰バンド１と尻バンド２の左右の端をそれぞれ同じ穴に通し、楕円形状のリング６は腰バンド１の両先端に取付けた雌雄に割れて一対のワンタッチバックル７（登録商標）の後に左右一つ取り付け、腰バンド１と尻バンド２に添って前後に動かせるようにしておく。
【０００４】  尻バンド２の両端を互いに縫合５などして、尻バンド２を一つの輪状にする。尻バンド２の両端を縫合８したところに、弾力性のあるゴムヒモ９などのヒモを取り付け、その弾力性のあるゴムヒモ９などのヒモの先端を、人や自転車などにくくり付け、引き手となって走る人を引っ張る。
ゴムヒモ９に負荷がかかる程に尻バンド２と逆ｖ字形の吊り帯３は、尻を包むようにして引き締め、腰バンド１は下方又は前方に引かれ下がるようにする。
【０００５】使用する時など第三者との危険を考慮して、腰ベルト１、尻ベルト２、逆ｖ字形の吊り帯３、ゴムヒモ９の各々には、適度の幅と長さと間隔を備えた目立つ夜光塗料などを施しておく。
【考案の効果】
【０００６】  しばらく走ると辛くなり走りは遅く登り坂にさしかかると嫌になるが、そのとき尻バンドに取り付けたゴムヒモを、前を走る人や自転車に乗る人が引っ張れば、引かれて走る人は腰バンドの左右に取り付けた楕円形状のリングを支点にして、負荷がかかる程に腰バンドと逆ｖ字形の吊り帯とで尻を包み締めて持ち持ち上げ、後押しするかのように感じさせて助け楽に走しれるようにしてくれる。
同時に腰バンドは下方又は前方方向に引かれ、下腹部に余裕ができ腹部も楽になると考える。
【０００７】  尻バンドにゴムヒモのような弾力性のあるヒモを取り付けて、引っ張ることで弾力性のある引きの変化が生まれ、引く方も引かれる方も遊び気分となり、単調な走りにも楽しみが得られる。また、辛い走りでも二人一緒に努力しているとの連帯間も味わうことができる。ましてや親であれば我が子の努力と進歩が一本のゴムヒモを通して感じ取られ格別な思いをするだろうし、子供も辛くなると親が一生懸命に引っ張ってくれるとの思いを感じ励まされ、親子の絆を深めることにも役立つと考える。
【図面の簡単な説明】
【０００８】
【図１】本実用新案のバンドの斜視図。
【図２】本実用新案を装着した平面図。
【符号の説明】
【０００９】１・・・・・・・腰バンド
２・・・・・・・尻バンド
３・・・・・・・逆ｖ字形の吊り帯
４・・・・・・・筒状に縫合した吊り帯部分
５・・・・・・・尻バンドに縫合した吊り帯部分
６・・・・・・・楕円形状のリング
７・・・・・・・ワンタッチバックル
８・・・・・・・尻バンドとゴムヒモの結合部分
９・・・・・・・ゴムヒモ
【図１】
0003162551.tif 000003
【図２】
0003162551.tif 000004
【手続補正書】
【提出日】平成22年6月17日(2010.6.17)
【手続補正１】
【補正対象書類名】実用新案登録請求の範囲
【補正対象項目名】全文
【補正方法】変更
【補正の内容】
【実用新案登録請求の範囲】
【請求項１】
腰バンド（１）は胴回りの太さに合わせて長さの調整ができ、腰に装着したときの真後あたりに逆ｖ字形の吊り帯（３）の三角部分を筒状（４）に縫合し、腰バンド（１）に通すようにして吊るし、逆ｖ字形の吊り帯（３）が左右に移動できるようにし、逆ｖ字形の吊り帯（３）から出る２本の帯は、尻バンド（２）を二分した中心から、左右に１本づつ分けて尻バンド（２）に縫合（５）などして腰バンド（１）に逆ｖ字形の吊り帯（３）で尻バンド（２）を吊るしたようにしておき、腰バンド（１）と尻バンド（２）の両端は滑りやすい楕円形状のリング（６）に左右それぞれ同時に通して、楕円形状のリング（６）を両バンドに取り付け、更に腰バンド（１）の両先端には雌雄で一対となるワンタッチバックル（商標登録）（７）を取り付け、腰バンド（１）を腰に装着できるようにするなど尻バンド（２）は両先端を一つに縫合などして結合（８）し輪状にして、結合したところにゴムヒモ（９）などの弾力性のあるヒモを取り付け、その弾力性のあるヒモを引っ張ることにより、尻バンド（２）と逆ｖ字形の吊り帯（３）とで尻下部を包むように押し上げ、同時に腰バンド（１）は楕円形状のリング（６）のところから下方向及び前方向に引かれ、下腹部に余裕ができて楽に走ることができるようにしたことを特徴とした走りを後押しするように手助けするバンド。
【請求項２】
使用する時の第三者との危険を考慮して、腰バンド（１）、尻バンド（２）、逆ｖ字形の吊り帯（３）、ゴムヒモ（９）の各々には適度の幅と長さと間隔とを備えた、目立つ夜光塗料を施しておくことを特徴とした請求項１に記載の走りを後押しするように手助けするバンド。